【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
導光部材端部材に嵌合する孔が形成された嵌合部および前記嵌合部の孔に通じる孔が形成された配置部を具備するキャップと、
前記配置部に形成された孔に配置される光変換部材と、
を備えたことを特徴とする光部品。
【請求項２】
前記配置部は、前記嵌合部の反対側に光を取り出す形状の孔を形成する内壁を有する、ことを特徴とする請求項１に記載の光部品。
【請求項３】
前記配置部は、前記嵌合部に形成された孔の内壁から連続し、前記嵌合部の孔よりも内径が大きい円柱状の孔を形成する内壁を有する、ことを特徴とする請求項１に記載の光部品。
【請求項４】
前記配置部は、前記嵌合部に形成された孔の内壁から連続し、前記嵌合部に向けて凸となる円錐台状の孔を形成する内壁を有する、ことを特徴とする請求項１に記載の光部品。
【請求項５】
前記配置部は、
前記嵌合部に形成された孔の内壁から連続し、前記嵌合部の孔よりも内径が大きい円柱状の孔を形成する内壁と、
前記円柱状の孔の内壁から連続し、前記嵌合部に向けて凸となる円錐台状の孔を形成する内壁と、
を具備する、ことを特徴とする請求項１に記載の光部品。
【請求項６】
前記配置部は、
前記嵌合部に形成された孔の内壁から連続し、前記嵌合部に向けて凸となる第１の円錐台状の孔を形成する内壁と、
前記第１の円錐台状の孔の内壁から連続し、前記嵌合部の孔よりも内径が大きい円柱状の孔を形成する内壁と、
前記円柱状の孔の内壁から連続し、前記嵌合部に向けて凸となる第２の円錐台状の孔を形成する内壁と、
を具備する、ことを特徴とする請求項１に記載の光部品。
【請求項７】
前記配置部は、前記嵌合部に形成された孔の内壁から連続し、前記嵌合部に向けて凸となるドーム形状の孔を形成する内壁を有する、ことを特徴とする請求項１に記載の光部品。
【請求項８】
前記配置部は、
前記嵌合部に形成された孔の内壁から連続し、前記嵌合部の孔よりも内径が大きい円柱状の孔を形成する内壁と、
前記円柱状の孔の内壁から連続し、前記嵌合部に向けて凸となるドーム形状の孔を形成する内壁と、
を具備する、ことを特徴とする請求項１に記載の光部品。
【請求項９】
前記配置部は、
前記嵌合部に形成された孔の内壁から連続し、前記嵌合部の孔よりも内径が大きい第一の円柱状の孔を形成する内壁と、
前記第一の円柱状の孔の内壁から連続し、前記第一の円柱状の孔よりも内径が大きい第二の円柱状の孔を形成する内壁と、
を具備する、ことを特徴とする請求項１に記載の光部品。
【請求項１０】
前記キャップは、前記光変換部材と熱膨張係数が等しい、ことを特徴とする、請求項１〜請求項９のいずれか１項に記載の光部品。
【請求項１１】
前記光変換部材の形状が、前記嵌合部の反対側に光を取り出す形状である、ことを特徴とする請求項１〜請求項１０のいずれか１項に記載の光部品。
【請求項１２】
前記光変換部材の形状が、光の出射側に凸となるドーム形状、円盤状、球状、レンズ形状のいずれかである、ことを特徴とする請求項１〜請求項１０のいずれか１項に記載の光部品。
【請求項１３】
前記光変換部材と前記嵌合部との間に設けられた、前記光変換部材を前記キャップに固定する固定手段を備えたことを特徴とする請求項１〜請求項１２のいずれか１項に記載の光部品。
【請求項１４】
前記固定手段が、前記光変換部材の面のうちの前記嵌合部側の面の周縁に設けられ、前記光変換部材の前記嵌合部側の面が、前記キャップの内壁に固定されていることを特徴とする請求項１３に記載の光部品。
【請求項１５】
前記光変換部材の面のうちの前記嵌合部とは反対の側に設けられた、前記光変換部材を前記キャップに固定する固定手段を備えたことを特徴とする請求項１〜請求項１２のいずれか１項に記載の光部品。
【請求項１６】
前記固定手段が、前記光変換部材の面のうちの前記嵌合部とは反対の側の面の周縁に設けられている、ことを特徴とする請求項１５に記載の光部品。
【請求項１７】
前記光変換部材が、前記キャップに融着されている、ことを特徴とする請求項１〜請求項１６のいずれか１項に光部品。
【請求項１８】
前記導光部材端部材と光変換部材が接していることを特徴とする請求項１〜１７のいずれか１項に記載の光部品。
【請求項１９】
前記キャップが、前記導光部材端部材に嵌合され、側面の少なくとも一箇所が前記導光部材端部材に固定されている、ことを特徴とする請求項１〜請求項１８のいずれか１項に記載の光部品。
【請求項２０】
前記光変換部材が、キャップの内径と略同一の径を有し、導光部材の出射端に接合されることを特徴とする請求項１〜１９のいずれか１項に記載の光部品。
【請求項２１】
前記光変換部材は、蛍光物質とガラスとを含有することを特徴とする請求項１〜２０のいずれか１項に記載の光部品。
【請求項２２】
前記光変換部材の前記嵌合部側の面に、反射膜が設けられていることを特徴とする請求項１〜２１のいずれか１項に記載の光部品。
【請求項２３】
励起光を射出する励起光源と、
該励起光源から射出される励起光を伝達する導光部材と、
該導光部材の端部に設けられる導光部材端部材と、
該導光部材端部材に設けられる光部品と、
を有する発光装置であって、
該光部品は、請求項１乃至２２の少なくともいずれか一項に記載の光部品であることを特徴とする発光装置。
【手続補正２】
【補正対象書類名】明細書
【補正対象項目名】００１２
【補正方法】変更
【補正の内容】
【００１２】
前記光変換部材と前記嵌合部との間に設けられた、前記光変換部材を前記キャップに固定する固定手段を備えていることが好ましい。
前記固定手段が、前記光変換部材の面のうちの前記嵌合部側の面の周縁に設けられ、前記光変換部材の前記嵌合部側の面が、前記キャップの内壁に固定されていることが好ましい。
前記光変換部材の面のうちの前記嵌合部とは反対の側に設けられた、前記光変換部材を前記キャップに固定する固定手段を備えていることが好ましい。
【手続補正３】
【補正対象書類名】明細書
【補正対象項目名】００１３
【補正方法】変更
【補正の内容】
【００１３】
前記固定手段が、前記光変換部材の面のうちの前記嵌合部とは反対の側の面の周縁に設けられていることが好ましい。
【手続補正４】
【補正対象書類名】明細書
【補正対象項目名】００１４
【補正方法】変更
【補正の内容】
【００１４】
前記光変換部材が、前記キャップに融着されていることが好ましい。
前記導光部材端部材と光変換部材が接していることが好ましい。
【手続補正５】
【補正対象書類名】明細書
【補正対象項目名】００１５
【補正方法】変更
【補正の内容】
【００１５】
前記キャップが、前記導光部材端部材に嵌合され、側面の少なくとも一箇所が前記導光部材端部材に固定されていることが好ましい。
【手続補正６】
【補正対象書類名】明細書
【補正対象項目名】００１６
【補正方法】変更
【補正の内容】
【００１６】
前記光変換部材が、キャップの内径と略同一の径を有し、導光部材の出射端に接合されることが好ましい。
前記光変換部材は、蛍光物質とガラスとを含有することが好ましい。
前記光変換部材の前記嵌合部側の面に、反射膜が設けられていることが好ましい。
【手続補正７】
【補正対象書類名】明細書
【補正対象項目名】００１８
【補正方法】削除
【補正の内容】